(57)【要約】      （修正有）【課題】手動による原操作力を簡単な機構を経ての変換により高いこじ開け力としてドアを開き得るように構成したことで、こじれで開かなくなったドアを簡単かつ強制的にドアを開き得て室外避難を可能にする手動式ドア強制開放装置の提供。【解決手段】架台１０をドアの室内側の床面或いは側壁上に定着し、架台のドア側に設けた第２回転軸１６と、第２回転軸よりも室内側に離れた側に設けた第１回転軸１７と、第１回転軸回りに設けられた操作レバー１８及びラチェット歯車と、操作レバーに設けられたラチェット歯車の駆動ラチェット爪と、架台に設けられた逆転止めラチェット爪と、ラチェット歯車と同調回転可能に設けられた小径側の駆動ギアと、第２回転軸回りに駆動ギアにより減速回転すべく回転駆動される様に設けられた大径側の従動ギアと、回転初期に閉じ状態のドアに当接してのち室外側へ押し開く様にする押出作動材２９を備えた押出回転板２８とを有する。【選択図】図１
2019035311.tif 000002
【特許請求の範囲】
【請求項１】
底板と立面板を有する架台と、この架台をドアの室内側である床面あるいは側壁上に定着化する定着手段と、架台のドア側に設けた第２回転軸と、架台の第２回転軸よりも室内側に離れた側に設けた第１回転軸と、第１回転軸回りに設けられた往復操作可能な操作レバーと、第１回転軸回りに設けられたラチェット歯車と、操作レバーに設けられラチェット歯車に掛脱可能とされた駆動ラチェット爪と、架台に設けられラチェット歯車に掛脱可能とされた逆転止めラチェット爪と、第１回転軸回りにラチェット歯車と同調回転可能に設けられた小径側としての駆動ギアと、第２回転軸回りに駆動ギアにより減速回転すべく回転駆動されるように設けられた大径側としての従動ギアと、第２回転軸回りに設けられ回転初期にあって閉じ状態のドアに当接してのち室外側へ押し開くようにするカムやローラーなどの押出作動材を備えた押出回転板とを有する手動式ドア強制開放装置。
【請求項２】
底板と立面板を有する架台と、この架台をドアの室内側である床面あるいは側壁上に定着化する定着手段と、架台のドア側に設けた回転軸と、前記回転軸回りに設けられ回転初期にあって閉じ状態のドアに当接してのち室外側へ押し開くようにするカムやローラーなどの押出作動材を備えた押出回転板と、架台に設けられたネジ受体と、このネジ受体に螺合して上下に進退自在とされ下端が押出回転板に回転連動するように連結されたネジ軸と、ネジ軸の下端を回転自在に受ける受ジョイントと、この受ジョイントと押出回転板間を連結する連動軸と、ネジ軸を回転操作可能とする操作ハンドルとを有する手動式ドア強制開放装置。
【発明の詳細な説明】
【技術分野】
【０００１】  本発明は、手動式ドア強制開放装置に関する。
【背景技術】
【０００２】  地震等の災害によって変形した建物のドア枠構造体が開放不能になった場合に室内に閉じ込められた人が自力で室外に脱出することができるようにした手動式ドア開放装置は、特許文献１に開示されている。【０００３】
【特許文献１】特許第５３６４２１２号
【発明の概要】
【発明が解決しようとする課題】
【０００４】  特許文献１の手動式ドア開放装置は、開放バールと、係止フック体で構成される手動式ドア開放装置であって、前記開放バールは、平鋼棒材を略Ｊ字状に屈曲させてバール状に形成し、先端部は先端をやや外側に屈曲させて先細りの平板状に成形し、屈曲部は所定の曲率半径を有して成形されると共に、該屈曲部の内側には補強杆を跨設し、基部は先端をやや内側に屈曲させて先細りの平板状に成形して成り、前記係止フック体は、下方が開口されるボックス状の係止部の側壁が両側に延設されてフランジ部が形成されると共に、該フランジ部に取り付けネジが挿通する通し穴を設けて成り、前記係止フック体が、ドア枠の室内側の戸先側段差部または開閉ドアの室内側の戸先端上部に前記フランジ部の通し穴を介して取り付けネジによって取り付けられることを特徴とするものである。
この手動式ドア開放装置をみるとき、Ｊ字形をした開放バールを本体とするものであるので、倒壊によるドア枠のこじれが軽度である場合は確かにこじ開けることができるかも知れないが、重度のこじれである場合には２倍〜３倍程度の倍力率のバール程度ではこじ開けられず室内の人は室外に出ることはできないという事態を発生するおそれがある。特に、地震によるこじれ以外に洪水によってドアに水圧や瓦礫などが負いかかることがあるが、その場合は前記したバール程度の小道具では全く歯が立たず逃げ出せないことも考えられる。【０００５】  本発明は、このような問題を解決しようとするものであり、手動による原操作力を簡単な機構を経ての変換により高いこじ開け力としてドアを開き得るように構成したことで地震時のドア枠のこじれで開かなくなったドアや洪水や津波時の水害・水圧で開かなくなったドアであっても簡単かつ強制的にドアを開き得て室外避難を可能にする手動式ドア強制開放装置を提供することを目的とする。
【課題を解決するための手段】
【０００６】  本発明は上記目的を達成するため、請求項１に記載の発明は、底板と立面板を有する架台と、この架台をドアの室内側である床面あるいは側壁上に定着化する定着手段と、架台のドア側に設けた第２回転軸と、架台の第２回転軸よりも室内側に離れた側に設けた第１回転軸と、第１回転軸回りに設けられた往復操作可能な操作レバーと、第１回転軸回りに設けられたラチェット歯車と、操作レバーに設けられラチェット歯車に掛脱可能とされた駆動ラチェット爪と、架台に設けられラチェット歯車に掛脱可能とされた逆転止めラチェット爪と、第１回転軸回りにラチェット歯車と同調回転可能に設けられた小径側としての駆動ギアと、第２回転軸回りに駆動ギアにより減速回転すべく回転駆動されるように設けられた大径側としての従動ギアと、第２回転軸回りに設けられ回転初期にあって閉じ状態のドアに当接してのち室外側へ押し開くようにするカムやローラーなどの押出作動材を備えた押出回転板とを有する。前記押出回転板は円形板でなくてもよく、例えば、扇形板でもよい。
請求項２に記載された発明は、底板と立面板を有する架台と、この架台をドアの室内側である床面あるいは側壁上に定着化する定着手段と、架台のドア側に設けた回転軸と、前記回転軸回りに設けられ回転初期にあって閉じ状態のドアに当接してのち室外側へ押し開くようにするカムやローラーなどの押出作動材を備えた押出回転板と、架台に設けられたネジ受体と、このネジ受体に螺合して上下に進退自在とされ下端が押出回転板に回転連動するように連結されたネジ軸と、ネジ軸の下端を回転自在に受ける受ジョイントと、この受ジョイントと押出回転板間を連結する連動軸と、ネジ軸を回転操作可能とする操作ハンドルとを有する。前記押出回転板は円形板でなくてもよく、例えば、扇形板でもよい。
【発明の効果】
【０００７】  上述したように本発明は、底板と立面板を有する架台と、この架台をドアの室内側である床面あるいは側壁上に定着化する定着手段と、架台のドア側に設けた第２回転軸と、架台の第２回転軸よりも室内側に離れた側に設けた第１回転軸と、第１回転軸回りに設けられた往復操作可能な操作レバーと、第１回転軸回りに設けられたラチェット歯車と、操作レバーに設けられラチェット歯車に掛脱可能とされた駆動ラチェット爪と、架台に設けられラチェット歯車に掛脱可能とされた逆転止めラチェット爪と、第１回転軸回りにラチェット歯車と同調回転可能に設けられた小径側としての駆動ギアと、第２回転軸回りに駆動ギアにより減速回転すべく回転駆動されるように設けられた大径側としての従動ギアと、第２回転軸回りに設けられ回転初期にあって閉じ状態のドアに当接してのち室外側へ押し開くようにするカムやローラーなどの押出作動材を備えた押出回転板とを有するので、手動による原操作力を簡単な機構を経ての変換により高いこじ開け力としてドアを開き得るように構成したことで地震時のドア枠のこじれで開かなくなったドアや洪水や津波時の水害・水圧で開かなくなったドアであっても簡単かつ強制的にドアを開き得て室外避難を可能にする手動式ドア強制開放装置を提供することができる。
【図面の簡単な説明】
【０００８】
【図１】  本発明である手動式ドア強制開放装置の第１実施形態をドア閉止状態において示す図２のＩ−Ｉ線対応断面図。
【図２】  図１のＩＩ−ＩＩ線断面図。
【図３】  図１のＩＩＩ−ＩＩＩ線断面図。
【図４】  第１実施形態の変形例を示す模式図。
【図５】  第２実施形態を示す図６のＶ−Ｖ線対応断面図。
【図６】  図５のＶＩ−ＶＩ線断面図。
【発明を実施するための形態】
【０００９】  図１ないし図３は本発明である手動式ドア強制開放装置についての第１実施形態を示すもので、１は室内側、２は室外側で、室内側１には床面３があり、室外側２には屋外基盤４があり、それらの間には縦長型をした矩形枠状のドア枠５がサッシュ枠として固定されている。３ａは床面３の主要な広い面域である主面で、ドアハンドル８のある側である一側脇部３ｂ以外の面部である。
７は中空金属製のドアで厚さは５０ｍｍで、ドア枠５内に図示しないヒンジを介して開閉自在に取付支持されている。８はドアハンドル（ノブでもよい）である。
【００１０】  １０はＳＵＳやアルミ合金製などの架台で、矩形の底板１１とその両側部から対向状に立ち上がる立面板１２，１２とからなっている。立面板１２は２枚でなく１枚からなるものであってもよい。
架台１０は、前後複数個所に長孔を有しその孔を通じてアンカー（定着手段）１３…により一側脇部３ｂ内に平行状に定着されるようになっている。この定着手段は、図１の右側欄に示すように強力な両面粘着シート（あるいはパッド）１４や接着剤によってもよい。架台１０は室内側の側壁あるいは側壁と床面の双方に亘るようにして定着させることもできる。
【００１１】  架台１０のドア７側の位置には、横軸状の第２回転軸１６が架台１０に対して回転自在に装架され、架台１０の第２回転軸１６よりも室内（奥）側に離れた位置には第１回転軸１７が回転自在に設けられている。
第１回転軸１７回りには、長さ７００ｍｍ〜１０００ｍｍで往復操作可能な操作レバー１８が立直した状態と室内側に倒された状態との間で往復操作可能なように設けられ、この操作レバー１８は第１回転軸１７を同調して回転するようになっている。操作レバー１８と第１回転軸１７とは互いに独立回転をするように構成してもよい。操作レバー１８は、左右の立面板１２，１２間にあるように配置されている。
【００１２】  第１回転軸１７回りには、ラチェット歯車２０が受爪２１…付きで回転自在に設けられている。ラチェット歯車２０は、外径が１１０ｍｍで左右の立面板１２，１２間に配置されている。
操作レバー１８の基部側には、ラチェット歯車２０に掛脱可能な駆動ラチェット爪２２が設けられており、架台１０にはラチェット歯車に掛脱可能な逆転止めラチェット爪２３が設けられている。
【００１３】  第１回転軸１７回りには、ラチェット歯車２０と同調回転可能な小径側としての駆動ギア２５が設けられている。この駆動ギア２５は外径７５ｍｍ前後である。第２回転軸１６回りには駆動ギア２５を基準にして減速回転すべく大径側としての従動ギア２６が設けられている。従動ギア２６は、外径が１８０ｍｍ前後である。駆動ギア２５は外径を５０ｍｍとし従動ギア２６は外径２００ｍｍにしてより減速比を大きくとるようにすることもできる。
【００１４】  第２回転軸１６の主面３ａ側の立面板１２より突き出した部分には、下部が扇形でその上側に矩形板部を一体化した形の押出回転板２８が偏心支持された形で取り付けられており、この押出回転板２８は従動ギア２６と同調する形で第２回転軸１６を介して一体化されている。
２９は押出作動材で、回転初期にあって閉じ状態のドア７に当接してのち室外側２へ押し開くようにする円弧板状のカムでなり、押出回転板２８のドア７側の外周面に固着されている。カムは、第２回転軸１６の下方に設定したＯ１に同心状をなすもので、実際はその上側の第２回転軸１６を中心にして偏心式であり同回転軸１６回りに回転することからドア７を前方へ押し出すように運動するのである。
この押出作動材２９は図１に重ねて図示するように１個あるいは複数のローラーで抵抗少なく押出作動させるように構成することもある。
【００１５】  装置は図２および図３のように底板１１が側脇部３ｂ上に定着された状態で押出作動材２９はドア７の開閉側の下部に対向形で配置される。その配置は、常時でなくても緊急時だけであってもよい。そのとき、押出作動材２９は第２回転軸１６回りの下前回りに待機した形とされる。
【００１６】  地震でドア枠５がこじれてドア７が開かなくなったときやあるいは室外側２に洪水や津波の水Ｗやガレキなどが押し寄せてドア７が開かなくなったときは、操作レバー１８を図１の矢印のように往復操作することでラチェット爪２２，２３の作用で駆動ギア２５を回転駆動させ、さらに従動ギア２６を連動回転させるとともに押出作動材２９を少しずつ押し上げ連動させることでドア７を強力に開くように作動させる。この際、操作レバー１８の先端に作用する人力が駆動ギア２５の回転力として数倍の力として作用するだけでなく、駆動ギア２５から従動ギア２６が減速回転になって倍化した回転力となり、さらにカムなどの押出作動材２９がドア７に対して少しずつ押出力として作用することから倍化した力が最終的に発生してドア７は極めて強力に開かれることになる。
【００１７】  尚、図３に示すように、平時はドア７の手前下に押出作動材２９が対峙することもあるからドア７を開けて出入りするのに邪魔になることもあるが、その点、図４のように装置を移動可能型としておけばそうした問題はなくなる。即ち、図４は図３の矢印Ｘ方向からみた場合に相当するが、底板１１の前後に扁平コの字枠状をした可動受枠３１を止着具３２を介して固定しておいてこの受枠３１に備えた脱着具３３を緩めたり締付けたりすることで架台１０である装置が左右で出入りできるようにしたものである。つまり、図３のように押出作動材２９がドア７に対面する位置から左方へずれた待機状態と前記対面する使用状態とをシフトロックにより選ぶことができるようになっている。
この装置は、実際の家屋や工場などのドア装置に対してのみでなく、例えば、ドア枠とドアをセットにしてその前面側に水圧を作用させてドアを開放困難な状況を体験させ災害の怖さを啓蒙させる水害体験装置（デモ機）にも設置適用することができる。尚、架台１０の上面にはギアによる危害が起きないようにカバーを付す。また、前記実施形態ではギアが１段であったが２段以上とすることがある。
【００１８】  図５および図６は第２実施形態を示す。
装置の架台３５は、底板３６と左右２枚の立面板３７を有する。この架台３５は、前後複数個所の長孔を通じてアンカー（定着手段）３８…により床面３９の一側脇部３９ｂ内に平行状に定着されるようになっている。この定着手段は、両面粘着シート（あるいはパッド）や接着剤であってもよい。架台３５の右側の立面板３７のドア４０側には回転自在な回転軸４１が設けられており、この回転軸４１回りには、Ｏ２に中心をもち外径１６０ｍｍ程度の円板型押出回転板４２が取り付けられている。この押出回転板４２の外周にはＯ２を中心とする円弧板状の押出作動材４４が取り付けられている。この押出作動材４４は回転初期にあって閉じ状態の厚さ５０ｍｍ程度のドア４０に当接してのち室外側へ押し開くようにするため偏心支持されているもので、図５のようにローラーであってもよい。
【００１９】  ４６はネジ受体（メスネジ体）で、架台３５の左右の立面板３７間に軸支されて設けられており、このネジ受体４６にはオスネジであるネジ軸４７がねじ込まれて上下動自在となっている。このネジ軸４７は、その下端が受ジョイント４８に回転自在に嵌め込まれるとともに、受ジョイント４８から立面板３７の孔３７ａを通じて通された連動軸４９を押出回転板４２に連結する一方、上端には操作ハンドル５０が差し込まれて回転操作自在とされている。
【００２０】  地震でドア枠５１がこじれてドア４０が開かなくなったときやあるいは室外側２に洪水や津波の水Ｗやガレキなどが押し寄せてドア４０が開かなくなったときは、操作ハンドル５０を回せばネジ軸４７を介して押出回転板４２を回転し、その外周に設けた押出作動材４４を下回りから上回りへと少しずつ回転させることによりドア４０を強力に開くように作動させる。この際、操作ハンドル５０によりネジ軸４７が回転されてその下端に数倍の強力な押し下げ力を発生させるだけでなく、その力が押出回転板４２の外周に作用して押出作動材４４の大きな回転力として作用し、さらに押出作動材４４がカムによる倍力化によりドア４０が大きな力により押し開けられるものとなる。
【符号の説明】
【００２１】  １…室内側  ２…室外側  ３…床面  ５…ドア枠  ７…ドア  １０…架台  １１…底板  １２…立面板  １３…アンカー  １６…第２回転軸  １７…第１回転軸  １８…操作レバー  ２０…ラチェット歯車  ２１…受爪  ２２…駆動ラチェット爪  ２３…逆転止めラチェット爪  ２５…駆動ギア  ２６…従動ギア  ２８…押出回転板  ２９…押出作動材  ３５…架台  ３６…底板  ３７…立面板  ３８…アンカー  ３９…床面  ４０…ドア  ４１…回転軸  ４２…押出回転板  ４４…押出作動板  ４６…ネジ受体  ４７…ネジ軸  ４９…連動軸  ５０…操作ハンドル  ５１…ドア枠。
【図１】
2019035311.tif 000003
【図２】
2019035311.tif 000004
【図３】
2019035311.tif 000005
【図４】
2019035311.tif 000006
【図５】
2019035311.tif 000007
【図６】
2019035311.tif 000008